(57)【要約】【課題】本発明は、第１状態と第２状態とに変形可能な携帯電子機器であって、第１状態においては磁界遮蔽部に近接して通信ができず、第２状態においては磁界遮蔽部から離間して通信ができるように配置されたアンテナを備える携帯電子機器を提供することを目的とする。【解決手段】携帯電話機１は、操作部側筐体２と、表示部側筐体３と、第１状態及び第２状態に変形可能となるように操作部側筐体２と表示部側筐体３とを連結する連結部４と、操作部側筐体２に配置される磁界遮蔽部１７０と、表示部側筐体３に配置され、第１状態において磁界遮蔽部１７０に近接する近接位置に配置されると共に、第２状態において近接位置よりも磁界遮蔽部１７０から離間した離間位置に配置されるアンテナと、を備える。【選択図】図４
2010130199.tif 000002
【特許請求の範囲】
【請求項１】
第１筐体と、
第２筐体と、
前記第２筐体が前記第１筐体に対して第１相対位置に配置される第１状態及び前記第２筐体が前記第１筐体に対して前記第１相対位置とは異なる第２相対位置に配置される第２状態に変形可能となるように前記第１筐体と前記第２筐体とを連結する連結部と、
前記第１筐体に配置される磁界遮蔽部と、
前記第２筐体に配置され、前記第１状態において前記磁界遮蔽部に近接する近接位置に配置されると共に、前記第２状態において前記近接位置よりも前記磁界遮蔽部から離間した離間位置に配置されるアンテナと、を備える
携帯電子機器。
【請求項２】
前記第２筐体に配置される磁性シートと、を更に備え、
前記第２状態において、前記磁界遮蔽部と前記アンテナとの間には、前記磁性シートが配置される
請求項１に記載の携帯電子機器。
【請求項３】
第１面を有する第１筐体と、
第２面及び第３面を有する第２筐体と、
前記第２筐体が前記第１筐体に対して第１相対位置に配置され前記第１面と前記第２面とが互いに近接した状態で積層配置される第１閉状態と、前記第２筐体が前記第１筐体に対して第２相対位置に配置され前記第１面と前記第３面とが互いに近接した状態で積層配置される第２閉状態とに変形可能に前記第１筐体と前記第２筐体とを連結する連結部と、
前記第１筐体に配置される磁界遮蔽部と、
前記第２筐体における前記第１面側に偏って配置されるアンテナと、
前記第２筐体における前記第３面側に偏って配置される磁性シートと、を備える
携帯電子機器。
【請求項４】
前記第１閉状態において、
前記アンテナは、前記磁界遮蔽部に近接する近接位置に配置され、
前記第２閉状態において、
前記アンテナは、前記近接位置よりも前記磁界遮蔽部から離間した離間位置に配置され、
前記磁性シートは、前記磁界遮蔽部と前記アンテナとの間に配置される
請求項３に記載に記載の携帯電子機器。
【請求項５】
第１面を有する第１筐体と、
前記第１筐体における前記第１面側に積層配置される第２筐体と、
前記第２筐体が前記第１筐体に対して第１相対位置に配置され前記第１面における所定領域を外部に露出させる開状態及び前記第２筐体が前記第１筐体に対して第２相対位置に配置され前記所定領域を覆う閉状態に変形可能となるように前記第１筐体と前記第２筐体とを相対的にスライド移動可能に連結する連結部と、
前記第１筐体に配置される磁界遮蔽部と、
前記第２筐体に配置され、前記開状態又は前記閉状態の一方において前記磁界遮蔽部に近接する近接位置に配置されると共に、前記開状態又は前記閉状態の他方において前記近接位置よりも前記磁界遮蔽部から離間した離間位置に配置されるアンテナと、を備える
携帯電子機器。
【請求項６】
前記アンテナは、前記近接位置に配置された状態において、前記磁界遮蔽部に積層するよう近接配置される
請求項５に記載の携帯電子機器。
【請求項７】
第１面を有する第１筐体と、
前記第１筐体における前記第１面側に積層配置される第２筐体と、
前記第１筐体の前記第１面に交差する方向に延びる回転軸を備え、前記第２筐体が前記第１筐体に対して第１相対位置に配置される第１状態及び前記第２筐体が前記第１筐体に対して前記第１相対位置とは異なる第２相対位置に配置される第２状態に変形可能となるように前記第１筐体と前記第２筐体とを前記回転軸を中心に相対的に回転移動可能に連結する連結部と、
前記第１筐体に配置される磁界遮蔽部と、
前記第２筐体に配置され、前記第１状態又は前記第２状態の一方において前記磁界遮蔽部に近接する近接位置に配置されると共に、前記第１状態又は前記第２状態の他方において前記近接位置よりも前記磁界遮蔽部から離間した離間位置に配置されるアンテナと、を備える
携帯電子機器。
【請求項８】
前記アンテナは、前記近接位置に配置された状態において、前記磁界遮蔽部に積層するよう近接配置される
請求項７に記載の携帯電子機器。
【発明の詳細な説明】
【技術分野】
【０００１】
本発明は、携帯電話機等の携帯電子機器に関する。
【背景技術】
【０００２】
近年、携帯電子機器としての携帯電話機には、非接触ＩＣカードと同様の機能を備えるものがある。
例えば、ループアンテナと、ループアンテナに接続されたＩＣモジュール（ＲＦＩＤチップ）とを有し、外部のリーダ・ライタ装置とループアンテナとが誘導結合されることにより、リーダ・ライタ装置によるＩＣモジュールからの情報の読み出しやＩＣモジュールへの情報の書き込みが行われる携帯電話機が提案されている（例えば、特許文献１参照）。
【０００３】
ここで、このような携帯電話機には、ユーザが知らないうちに勝手にＩＣモジュールから情報が読み出されたり、ＩＣモジュールに情報が書き込まれたりすることを防止するためのロック機能が搭載されている。
【特許文献１】特開２００７−３３６４８０号公報
【発明の開示】
【発明が解決しようとする課題】
【０００４】
しかし、ロック機能が搭載された携帯電話機において、ロック機能を実行させるためには、所定の操作を行う必要がある。このため、所定の操作を行う手間を嫌い、多くのユーザは、ロック機能を実行しない状態で携帯電話機を持ち歩いている。
【０００５】
この場合、ユーザに気づかれない位置に配置されたリーダ・ライタ装置により、ユーザが知らないうちにループアンテナを介してＩＣモジュールから情報が読み出されたり、ＩＣモジュールへ情報が書き込まれたりする可能性がある。
【０００６】
本発明は、第１状態と第２状態とに変形可能な携帯電子機器であって、第１状態においては磁界遮蔽部に近接して通信ができず、第２状態においては磁界遮蔽部から離間して通信ができるように配置されたアンテナを備える携帯電子機器を提供することを目的とする。
【課題を解決するための手段】
【０００７】
本発明は、第１筐体と、第２筐体と、前記第２筐体が前記第１筐体に対して第１相対位置に配置される第１状態及び前記第２筐体が前記第１筐体に対して前記第１相対位置とは異なる第２相対位置に配置される第２状態に変形可能となるように前記第１筐体と前記第２筐体とを連結する連結部と、前記第１筐体に配置される磁界遮蔽部と、前記第２筐体に配置され、前記第１状態において前記磁界遮蔽部に近接する近接位置に配置されると共に、前記第２状態において前記近接位置よりも前記磁界遮蔽部から離間した離間位置に配置されるアンテナと、を備える携帯電子機器に関する。
【０００８】
また、前記第２筐体に配置される磁性シートと、を更に備え、前記第２状態において、前記磁界遮蔽部と前記アンテナとの間には、前記磁性シートが配置されることが好ましい。
【０００９】
本発明は、第１面を有する第１筐体と、第２面及び第３面を有する第２筐体と、前記第２筐体が前記第１筐体に対して第１相対位置に配置され前記第１面と前記第２面とが互いに近接した状態で積層配置される第１閉状態と、前記第２筐体が前記第１筐体に対して第２相対位置に配置され前記第１面と前記第３面とが互いに近接した状態で積層配置される第２閉状態とに変形可能に前記第１筐体と前記第２筐体とを連結する連結部と、前記第１筐体に配置される磁界遮蔽部と、前記第２筐体における前記第１面側に偏って配置されるアンテナと、前記第２筐体における前記第３面側に偏って配置される磁性シートと、を備える携帯電子機器に関する。
【００１０】
また、前記第１閉状態において、前記アンテナは、前記磁界遮蔽部に近接する近接位置に配置され、前記第２閉状態において、前記アンテナは、前記近接位置よりも前記磁界遮蔽部から離間した離間位置に配置され、前記磁性シートは、前記磁界遮蔽部と前記アンテナとの間に配置されることが好ましい。
【００１１】
本発明は、第１面を有する第１筐体と、前記第１筐体における前記第１面側に積層配置される第２筐体と、前記第２筐体が前記第１筐体に対して第１相対位置に配置され前記第１面における所定領域を外部に露出させる開状態及び前記第２筐体が前記第１筐体に対して第２相対位置に配置され前記所定領域を覆う閉状態に変形可能となるように前記第１筐体と前記第２筐体とを相対的にスライド移動可能に連結する連結部と、前記第１筐体に配置される磁界遮蔽部と、前記第２筐体に配置され、前記開状態又は前記閉状態の一方において前記磁界遮蔽部に近接する近接位置に配置されると共に、前記開状態又は前記閉状態の他方において前記近接位置よりも前記磁界遮蔽部から離間した離間位置に配置されるアンテナと、を備える携帯電子機器に関する。
【００１２】
また、前記アンテナは、前記近接位置に配置された状態において、前記磁界遮蔽部に積層するよう近接配置されることが好ましい。
【００１３】
本発明は、第１面を有する第１筐体と、前記第１筐体における前記第１面側に積層配置される第２筐体と、前記第１筐体の前記第１面に交差する方向に延びる回転軸を備え、前記第２筐体が前記第１筐体に対して第１相対位置に配置される第１状態及び前記第２筐体が前記第１筐体に対して前記第１相対位置とは異なる第２相対位置に配置される第２状態に変形可能となるように前記第１筐体と前記第２筐体とを前記回転軸を中心に相対的に回転移動可能に連結する連結部と、前記第１筐体に配置される磁界遮蔽部と、前記第２筐体に配置され、前記第１状態又は前記第２状態の一方において前記磁界遮蔽部に近接する近接位置に配置されると共に、前記第１状態又は前記第２状態の他方において前記近接位置よりも前記磁界遮蔽部から離間した離間位置に配置されるアンテナと、を備える携帯電子機器に関する。
【００１４】
また、前記アンテナは、前記近接位置に配置された状態において、前記磁界遮蔽部に積層するよう近接配置されることが好ましい。
【発明の効果】
【００１５】
本発明によれば、第１状態と第２状態とに変形可能な携帯電子機器であって、第１状態においては磁界遮蔽部に近接して通信ができず、第２状態においては磁界遮蔽部から離間して通信ができるように配置されたアンテナを備える携帯電子機器を提供することができる。
【発明を実施するための最良の形態】
【００１６】
以下、図面を参照して本発明を実施するための最良の形態を説明する。
まず、図１により、携帯電話機１における基本構造を説明する。図１は、携帯電話機１を開いた状態における外観斜視図を示す。
【００１７】
図１に示すように、携帯電子機器としての携帯電話機１は、第１筐体としての操作部側筐体２と、第２筐体としての表示部側筐体３と、を備える。操作部側筐体２は、第１面としての操作部側内面２Ａと、操作部側内面２Ａと反対側の操作部側外面２Ｂとを備える。表示部側筐体３は、第２面としての表示部側内面３Ａと、表示部側内面３Ａと反対側の第３面としての表示部側外面３Ｂとを備える。
【００１８】
操作部側筐体２と表示部側筐体３とは、ヒンジ機構を備える連結部４を介して連結される。具体的には、操作部側筐体２の上端部と表示部側筐体３の下端部とは、連結部４を介して連結される。
【００１９】
連結部４は、いわゆる２軸ヒンジ機構を備える。連結部４は、操作部側筐体２と表示部側筐体３とを開閉可能に連結すると共に、表示部側筐体３を操作部側筐体２に対して表裏を反転させることができる。
【００２０】
連結部４は、表示部側筐体３が操作部側筐体２に対して第１相対位置としての閉位置に配置され操作部側内面２Ａと表示部側内面３Ａとが互いに離間して配置される開状態と、表示部側筐体３が操作部側筐体２に対して第２相対位置としての開位置に配置され操作部側内面２Ａと表示部側内面３Ａとが互いに近接した状態で積層配置される閉状態とに変形可能に操作部側筐体２と表示部側筐体３とを開閉軸Ｒを中心に開閉可能に連結する。
【００２１】
連結部４は、開状態において、操作部側筐体２に対して表示部側筐体３が開閉軸Ｒと交差する回転軸Ｓを中心に回転可能に操作部側筐体２と表示部側筐体３とを連結する。
連結部４は、表示部側筐体３が操作部側筐体２に対して操作部側内面２Ａと表示部側内面３Ａとが互いに近接した状態で積層配置される第１閉状態と、表示部側筐体３部が操作部側筐体２に対して操作部側内面２Ａと表示部側外面３Ｂとが互いに近接した状態で積層配置される第２閉状態とに変形可能に操作部側筐体２と表示部側筐体３とを連結する。
【００２２】
これにより、携帯電話機１は、連結部４を介して連結された操作部側筐体２と表示部側筐体３とを相対的に動かすことが可能に構成される。
携帯電話機１は、操作部側筐体２と表示部側筐体３とが互いに離間した開状態と、操作部側筐体２と表示部側筐体３とが折り畳まれて積層配置された開状態とにすることができる。
【００２３】
また、携帯電話機１は、開状態において、表示部側筐体３における表裏を切り替えるように変形可能である。携帯電話機１は、開状態において、操作部側内面２Ａと表示部側内面３Ａとが同じ側を向く第１開状態と、操作部側内面２Ａと表示部側内面３Ａとが異なる側を向く第２開状態とに変形可能である。
【００２４】
また、携帯電話機１は、閉状態において、操作部側内面２Ａと表示部側内面３Ａとが互いに近接した状態で積層配置される第１閉状態と、操作部側内面２Ａと表示部側外面３Ｂとが互いに近接した状態で積層配置される第２閉状態とに変形可能である。
【００２５】
操作部側筐体２は、外面がフロントケース２ａとリアケース２ｂとにより構成される。操作部側筐体２は、フロントケース２ａ側（操作部側内面２Ａ側）に、操作キー群１１と、携帯電話機１の使用者が通話時に発した音声が入力されるマイクとしてのマイク１２とがそれぞれ露出するように構成される。
【００２６】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２７】
ここで、入力操作キー１４を構成する入力操作キー部材１４ｂであって、操作部側筐体２における下方（図１において）に配置された一群の入力操作キー部材１４ｂは、金属製である。この一群の入力操作キー部材１４ｂは、後述の磁界遮蔽部１７０を構成する。
【００２８】
マイク１２は、操作部側筐体２の長手方向における連結部４側と反対の外端部側に配置される。つまり、マイク１２は、携帯電話機１が開状態において一方の外端部側に配置される。
【００２９】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００３０】
表示部側筐体３は、外面がフロントパネル３ａと、フロントケース３ｂと、リアケース３ｃと、リアパネル３ｄとにより構成される。表示部側筐体３には、表示部側内面３Ａに各種情報を表示するための表示部２１と、通話の相手側の音声を出力するレシーバとしてのスピーカ２２と、が外部に露出するように配置される。
【００３１】
表示部２１は、液晶パネルと、この液晶パネルを駆動する駆動回路と、この液晶パネルの背面側から光を照射するバックライト等の光源部とから構成される。
【００３２】
ここで、操作部側筐体２における表示部２１の上方（図１において）に対応する部分の内部には、後述するループアンテナ１００が配置される。
【００３３】
次いで、図２から図７により、操作部側筐体２及び表示部側筐体３の内部構造について説明する。
図２は、操作部側筐体２に内蔵される部材の分解斜視図である。図３は、表示部側筐体３に内蔵される部材の分解斜視図である。図４は、第１閉状態におけるループアンテナ１００の配置を説明する図である。図５は、第１開状態におけるループアンテナ１００の配置を説明する図である。図６は、第２開状態におけるループアンテナ１００の配置を説明する図である。図７は、第２閉状態におけるループアンテナ１００の配置を説明する図である。
【００３４】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、外部の基地局を介した無線通信用のメインアンテナ部９０と、開状態においてループを形成するループアンテナ１００と、バッテリリッド２ｃを備えたリアケース２ｂと、バッテリ８０とを備える。
【００３５】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０と、メインアンテナ部９０と、ループアンテナ１００とが挟まれるようにして内蔵される。
【００３６】
フロントケース２ａには、携帯電話機１を折り畳んだ閉状態で表示部側筐体３の表示部２１と対向する内側面（操作部側内面２Ａ）に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００３７】
キー構造部４０は、操作部材４０Ａと、補強部材としてのキーフレーム４０Ｂと、シート部材としてのキーシート４０Ｃと、により構成される。
【００３８】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００３９】
ここで、入力操作キー１４を構成する入力操作キー部材１４ｂであって、操作部側筐体２における下方（図１において）に配置された一群の入力操作キー部材１４ｂは、金属製である。この一群の入力操作キー部材１４ｂは、近接配置されたループアンテナ１００の通信を阻害する磁界遮蔽部１７０を構成する。
【００４０】
磁界遮蔽部１７０は、操作部側筐体２における連結部４側と反対の端部側に配置される一群の入力操作キー部材１４ｂにより構成される。磁界遮蔽部１７０は、操作部側筐体２における操作部側内面２Ａ側に配置される。ここで、磁界遮蔽部１７０は、一群の入力操作キー部材１４ｂのほか、キーフレーム４０Ｂを含んで構成されてもよい。
【００４１】
磁界遮蔽部１７０は、携帯電話機１が閉状態において、表示部側筐体３に近接して配置される。ここで、ループアンテナ１００が表示部側筐体３における一方の面側に偏って配置される場合、磁界遮蔽部１７０は、第１閉状態又は第２閉状態の一方においてはループアンテナ１００に近接し、第１閉状態又は第２閉状態の他方においてはループアンテナ１００から離間する。
【００４２】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００４３】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００４４】
キー基板５０は、キーシート４０Ｃ側の面である第１面５０ａに配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。また、キー基板５０における第２面５０ｂ側には、複数の電極配線が形成される。
【００４５】
図２に示すように、ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００４６】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やメインアンテナ部９０に接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００４７】
図２に示すように、回路基板７０には、メインアンテナ部９０が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４８】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００４９】
メインアンテナ部９０は、基台上に所定形状のアンテナエレメントが配置されることにより構成さる。メインアンテナ部９０は、携帯電話機１における連結部４側と反対の端部側に配置される。メインアンテナ部９０のアンテナエレメントは、帯状の板金により形成される。また、メインアンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００５０】
図２に示すように、リアケース２ｂの一端側（図２において）には、取り外し可能なバッテリリッド２ｃが設けられている。バッテリリッド２ｃは、バッテリ８０をリアケース２ｂの外側から収納した後、リアケース２ｂに装着される。また、リアケース２ｂにおける一端側には、ユーザの音声を入力する不図示のマイク１２が収容される。
【００５１】
図３に示すように、表示部側筐体３は、フロントパネル３ａと、スピーカ２２と、フロントケース３ｂと、スピーカ２２と、表示部２１と、表示部２１が接続されたプリント基板８５と、リアケース３ｃと、リアパネル３ｄと、ループアンテナ１００と、ＲＦＩＤチップ１１０と、磁性シート１６０と、を備える。
【００５２】
表示部側筐体３は、フロントパネル３ａと、ループアンテナ１００及びＲＦＩＤチップ１１０と、フロントケース３ｂと、表示部２１と、プリント基板８５と、磁性シート１６０と、リアケース３ｃと、リアパネル３ｄとがそれぞれが積層的に配置される。フロントケース３ｂとリアケース３ｃとは、互いの凹状の内側面が向き合うように配置され、互いの外周縁が重なり合うようにして結合される。
【００５３】
フロントパネル３ａとフロントケース３ｂとの間には、ループアンテナ１００及びＲＦＩＤチップ１１０が配置される。
また、フロントケース３ｂとリアケース３ｃとの間には、表示部２１が接続されたプリント基板８５が挟まれるようにして内蔵される。プリント基板８５には、不図示のアンプと接続されるスピーカが接続される。
また、プリント基板８５とリアケース３ｃとの間には、磁性シート１６０が配置される。
【００５４】
図３に示すように、ＲＦＩＤチップ１１０は、ループアンテナ１００に接続される。ＲＦＩＤチップ１１０は、ループアンテナ１００を介して外部のリーダ・ライタ装置により情報の読み出し及び情報の書き込みが行われる。
【００５５】
図３に示すように、ループアンテナ１００は、表示部側筐体３における連結部４側と反対の端部側に配置される。ループアンテナ１００は、表示部側筐体３における表示部側内面３Ａ側に偏って配置される。ループアンテナ１００は、後述の通り、携帯電話機１の状態に応じて、磁界遮蔽部１７０に近接配置又は離間配置される。
【００５６】
ループアンテナ１００は、シート部１０２と、シート部１０２に配置されるコイル部１０４と備える。
シート部１０２は、ＰＥＴ（ｐｏｌｙｅｔｈｙｌｅｎｅ  ｔｅｒｅｐｈｔｈａｌａｔｅ）材料からなるシート状の部材であって、柔軟に変形可能な部材である。
コイル部１０４は、薄膜状の導電性部材が渦巻状になるようにして形成される。
【００５７】
ループアンテナ１００は、所定の使用周波数帯（例えば、１３．５６Ｈｚ）により不図示のリーダ・ライタ装置との通信を行う。
【００５８】
図３に示すように、磁性シート１６０は、表示部側筐体３における連結部４側と反対の端部側に配置される。磁性シート１６０は、操作部側筐体２における表示部側外面３Ｂ側に偏って配置される。磁性シート１６０は、表示部側筐体３における厚さ方向において、ループアンテナ１００と重なるように配置される。ループアンテナ１００は、後述の通り、携帯電話機１の状態に応じて、磁界遮蔽部１７０に近接配置又は離間配置される。
【００５９】
ここで、図４から図７により、携帯電話機１における状態ごとのループアンテナ１００と磁界遮蔽部１７０との位置関係について説明する。
図４に示すように、携帯電話機１が第１閉状態の場合、磁界遮蔽部１７０が配置される操作部側内面２Ａと、ループアンテナ１００が偏って配置される表示部側内面３Ａとは対向して近接配置される。携帯電話機１が第１閉状態の場合、ループアンテナ１００は、操作部側筐体２と表示部側筐体３との積層方向において磁界遮蔽部１７０と重なるように配置されると共に、磁界遮蔽部１７０と積層方向において近接した近接位置に配置される。つまり、携帯電話機１が第１閉状態において、ループアンテナ１００は、外部に配置されるリーダ・ライタ装置との通信ができない状態である。
【００６０】
図５に示すように、携帯電話機１が第１開状態の場合、磁界遮蔽部１７０が配置される操作部側筐体２における連結部４側と反対の端部と、ループアンテナ１００が配置される表示部側筐体３における連結部４側と反対の端部はとは、互いに離間して配置される。携帯電話機１が第１開状態において、ループアンテナ１００は、磁界遮蔽部１７０と厚さ方向において重ならず、磁界遮蔽部１７０から離間して配置される。つまり、携帯電話機１が第１開状態において、ループアンテナ１００は、外部に配置されるリーダ・ライタ装置との通信が可能な状態である。
【００６１】
図６に示すように、携帯電話機１が第２開状態の場合、磁界遮蔽部１７０が配置される操作部側筐体２における連結部４側と反対の端部と、ループアンテナ１００が配置される表示部側筐体３における連結部４側と反対の端部はとは、互いに離間して配置される。携帯電話機１が第２開状態において、ループアンテナ１００は、磁界遮蔽部１７０と厚さ方向において重ならず、磁界遮蔽部１７０から離間して配置される。つまり、携帯電話機１が第２開状態において、ループアンテナ１００は、外部に配置されるリーダ・ライタ装置との通信が可能な状態である。
【００６２】
図７に示すように、携帯電話機１が第２閉状態の場合、磁界遮蔽部１７０が配置される操作部側内面２Ａと、ループアンテナ１００が偏って配置される表示部側内面３Ａとは積層方向において離間して配置される。携帯電話機１が第２閉状態の場合、ループアンテナ１００は、操作部側筐体２と表示部側筐体３との積層方向において磁界遮蔽部１７０と重なるように配置されると共に、磁界遮蔽部１７０と積層方向において上述の近接位置よりも離間した離間位置に配置される。
【００６３】
携帯電話機１が第２閉状態において、ループアンテナ１００は、第２閉状態における筐体（携帯電話機１）の外側に配置される。ここで、磁性シート１６０が偏って配置された表示部側外面３Ｂは、操作部側内面２Ａに対向して配置される。磁性シート１６０は、積層方向において、ループアンテナ１００と磁界遮蔽部１７０との間に配置される。
【００６４】
携帯電話機１が第２閉状態において、第１閉状態に比べて、ループアンテナ１００は、磁界遮蔽部１７０から離間して配置されると共に、磁性シート１６０を挟んで磁界遮蔽部１７０と対向して配置される。このように、ループアンテナ１００が磁性シート１６０を挟んで磁界遮蔽部１７０と所定距離だけ離間して対向配置されるので、ループアンテナ１００は、外部と通信可能な状態となる。つまり、携帯電話機１が第２閉状態において、ループアンテナ１００は、外部に配置されるリーダ・ライタ装置との通信が可能な状態である。
【００６５】
続けて、図８により、携帯電話機１の回路構成について説明する。
図８は、携帯電話機１における回路構成を説明するブロック図である。
図７に示すように、携帯電話機１は、操作部側筐体２に配置される無線通信部２００と、入力部としての操作部１０１と、マイク１２と、ＬＣＤ制御部４２と、音声処理部４３と、記憶部としてのメモリ４４と、ＣＰＵ４５と、電源部４６と、制御ＩＣ４７と、表示部側筐体３に配置される表示部２１と、スピーカ２２と、ドライバＩＣ２５と、ループアンテナ１００と、ＲＦＩＤチップ１１０と、を備える。
【００６６】
無線通信部２００は、所定の使用周波数帯により外部装置と通信を行うメインアンテナ部９０と、変調処理又は復調処理等の信号処理を行う通信処理部２０１と、を備える。
【００６７】
メインアンテナ部９０は、所定の使用周波数帯（例えば、８００ＭＨｚ）で不図示の基地局と通信を行う。メインアンテナ部９０は、所定の使用周波数帯で基地局を介して外部の通信機器と通信を行う。なお、本実施形態では、所定の使用周波数帯として、８００ＭＨｚとしたが、他の周波数帯であってもよい。また、メインアンテナ部９０は、所定の使用周波数帯（第１使用周波数帯）のほかに、第２使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００６８】
通信処理部２０１は、所定の機能部から供給された信号を変調処理しメインアンテナ部９０を介して基地局に送信すると共に、メインアンテナ部９０により受信された信号を復調処理し所定の機能部に供給する。
操作部１０１は、操作キー群１１を含んで構成される。
【００６９】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングで表示部２１に出力する。
表示部２１は、ドライバＩＣ２５から入力されたデータに基づいて、所定の文字や画像を表示する。
【００７０】
メモリ４４は、所定のデータを記憶する。具体的には、メモリ４４は、各種機能を動作させるアプリケーションプログラムや、プロフィール情報や、アドレス帳機能に利用されるアドレス情報等が記憶される。
【００７１】
ＣＰＵ４５は、携帯電話機１の全体を制御する。ＣＰＵ４５は、特に、無線通信部２００と、ＬＣＤ制御部４２と、音声処理部４３に対して所定の制御を行う。
【００７２】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をメインアンテナ部９０に出力する。
【００７３】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００７４】
ループアンテナ１００は、外部に配置されるリーダ・ライタ装置に対して所定距離まで接近した場合、リーダ・ライタ装置から送信される磁界（キャリア周波数（例えば、１３．５６ＭＨｚ）に対して変調されている）を受信する。
【００７５】
ＲＦＩＤチップ１１０は、ループアンテナ１００で受信された信号によって誘起された電力に基づいて所定の電圧を生成する電源回路と、ループアンテナ１００により通信される信号に対して変調処理又は復調処理等の信号処理を行うＲＦ回路と、所定の演算処理を行うＣＰＵと、所定のデータが格納されているメモリと、を備える。
【００７６】
電源回路は、例えば、ＤＣ−ＤＣコンバータにより構成れる。
電源回路は、ループアンテナ１００により磁界が受信されることで電磁誘導作用により発生した起電力から所定の電源電圧を生成し、ＲＦ回路と、ＣＰＵと、メモリとに供給する。ＲＦ回路と、ＣＰＵと、メモリとは、電源回路から所定の電源電圧が供給されることにより停止状態から起動状態に移行する。
【００７７】
ＲＦ回路は、ループアンテナ１００を介して供給された信号に対して復調等の信号処理を行い、処理後の信号をＣＰＵに供給する。
ＲＦ回路は、メモリから読み出されたデータに対して変調等の信号処理を行い、ループアンテナ１００を介して外部のリーダ・ライタ装置に送信する。
【００７８】
ＣＰＵは、ＲＦ回路から供給された信号に基づいて、メモリにデータを書き込む、又は、メモリからデータを読み出す。ＣＰＵは、メモリからデータを読み出した場合には、該データをＲＦ回路に供給する。
【００７９】
ここで、携帯電話機１が開状態（第１開状態、第２開状態）の場合（図５及び図６参照）、ループアンテナ１００が磁界遮蔽部１７０とは離間して配置されるので、ループアンテナ１００は、外部に配置されたリーダ・ライタ装置との通信が可能な状態となる。つまり、開状態（第１開状態、第２開状態）において、携帯電話機１は、ＲＦＩＤチップ１１０からのデータの読み出しやＲＦＩＤチップ１１０へのデータの書き込みが可能な状態となる。
【００８０】
また、携帯電話機１が第１閉状態の場合（図４参照）、ループアンテナ１００が磁界遮蔽部１７０と近接した近接位置に配置されるので、ループアンテナ１００は、外部に配置されたリーダ・ライタ装置との通信が不可能な状態となる。つまり、第１閉状態において、携帯電話機１は、ＲＦＩＤチップ１１０からのデータの読み出しやＲＦＩＤチップ１１０へのデータの書き込みが不可能な状態となる。
【００８１】
また、携帯電話機１が第２閉状態の場合（図７参照）、ループアンテナ１００が磁界遮蔽部１７０とは離間した離間位置に配置されるので、ループアンテナ１００は、外部に配置されたリーダ・ライタ装置との通信が可能な状態となる。特に、本実施形態において、ループアンテナ１００は、磁性シート１６０を挟んで磁界遮蔽部１７０と対向して配置されるので、磁性シート１６０を挟まないで磁界遮蔽部１７０と対向している場合に比べて好適に外部に配置されたリーダ・ライタ装置と通信できる。つまり、第２閉状態において、携帯電話機１は、ＲＦＩＤチップ１１０からのデータの読み出しやＲＦＩＤチップ１１０へのデータの書き込みが可能な状態となる。
【００８２】
本実施形態における携帯電話機１は、形態（開閉状態）を変えることにより、ループアンテナ１００による通信が可能な状態／不可能な状態にすることができる。本実施形態の場合、通信機能等を利用せず、ユーザが持ち歩く場合の状態である閉状態において、携帯電話機１は、ループアンテナ１００による通信が不可能な状態になる。
【００８３】
また、本実施形態によれば、携帯電話機１における状態を変えるだけでループアンテナ１００による通信が可能な状態又は不可能な状態に切り替えることができる。これにより、ユーザは、簡易な動作により、ループアンテナ１００による通信が可能な状態又は不可能な状態に切り替えることができる。また、簡易な動作によりループアンテナ１００による通信が可能な状態又は不可能な状態に切り替えることができるので、切り替え作業が煩雑という従来の理由で通信不可能な状態への切り替えを怠ることが抑制される。これにより、ユーザの意図しないＲＦＩＤチップ１１０からの情報の読み出しや、ＲＦＩＤチップ１１０への情報の書き込みが抑制される。例えば、チャージされた電子マネーが勝手に引き出されることを抑制できる。
【００８４】
また、本実施形態によれば、携帯電話機１は、通常の持ち運び状態である閉状態においてループアンテナ１００による通信が不可能であるので、上述の意図しない情報の読み出し／書き込み等を好適に抑制できる。つまり、セキュリティが向上された携帯電話機１を提供することができる。
【００８５】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８６】
また、本実施形態において、ループアンテナ１００は、シート部１０２と、シート部１０２に配置される薄膜状の導電性部材が渦巻状の形成されたコイル部１０４とにより構成されるが、これに限定されず、例えば、導線が巻回されて構成されていてもよい。
【００８７】
また、本実施形態において、ループアンテナ１００（ＲＦＩＤチップ１１０）は、電源部を有さない受動型（Ｐａｓｓｉｖｅ）の誘導電磁界方式（電磁誘導方式）であるものとして説明を行ったが、これに限定されない。ループアンテナ１００（ＲＦＩＤチップ１１０）は、例えば、受動型の相互誘導方式（電磁結合方式）又は放射電磁界方式（電波方式）であってもよい。また、ループアンテナ１００（ＲＦＩＤチップ１１０）は、例えば、電源部を有する能動型（Ａｃｔｉｖｅ）であってもよい。
また、外部装置は、リード・ライト型のほか、リードオンリー型や、ライトワンス型等であってもよい。
【００８８】
また、本実施形態において、ループアンテナ１００が表示部側筐体３に配置されるが、これに限定されず、操作部側筐体２に配置されていてもよい。この場合、磁界遮蔽部１７０は、表示部側筐体３に配置される。
【００８９】
また、本実施形態において、いわゆる２軸ヒンジタイプの携帯電話機１について説明をしているが、これに限定されない。携帯電話機１は、表示部側筐体３部が操作部側筐体２に対して第１相対位置に配置される第１状態及び表示部側筐体３が操作部側筐体２に対して第１相対位置とは異なる第２相対位置に配置される第２状態に変形可能となるように構成されていればよく、例えば、操作部側筐体２と表示部側筐体３との重ね合わせた状態から一方の筐体を一方向にスライドさせるようにしたスライドタイプや、表示部側筐体３を厚さ方向に延びる回転軸を中心に回転可能なサイクロイド（回転）タイプであってもよい。
【００９０】
以下、スライドタイプ及びサイクロイドタイプの実施形態について説明する。
まず、図９及び図１０により、携帯電話機がスライドタイプである場合の実施形態について説明する。
図９は、閉状態におけるループアンテナ１００の配置及び状態を説明する図である。図１０は、開状態におけるループアンテナ１００の配置及び状態を説明する図である。
以下、上述した携帯電話機１（開閉タイプ）と同様の構成については説明を省略し、異なる構成を中心に説明をする。
【００９１】
図９及び図１０に示すように、携帯電話機１Ａは、操作部側筐体２と、操作部側筐体２における操作部側内面２Ａ側に積層配置される表示部側筐体３とを備える。表示部側筐体３は、操作部側内面２Ａ上をスライド移動可能に操作部側筐体２と連結される。
【００９２】
携帯電話機１Ａは、操作部側筐体２と表示部側筐体３とにおける互いの相対位置をスライド移動可能とするよう操作部側筐体２と表示部側筐体３とを連結する連結部４Ｂを備える。連結部４Ｂは、携帯電話機１Ａを開状態と閉状態とに変形可能に操作部側筐体２と表示部側筐体３とを連結する。
【００９３】
具体的には、連結部４Ｂは、表示部側筐体３が操作部側筐体２に対して第１相対位置としての開位置に配置され操作部側内面２Ａにおける所定領域を外部に露出させる開状態（図１０参照）、及び表示部側筐体３が操作部側筐体２に対して第２位置としての閉位置に配置され操作部側内面２Ａにおける所定領域を覆う閉状態（図９参照）とに変形可能となるように操作部側筐体２と表示部側筐体３とをスライド移動可能に連結する。
【００９４】
図９及び図１０に示すように、ループアンテナ１００は、操作部側筐体２に配置される。ループアンテナ１００は、シート部１０２と、シート部１０２に配置されるコイル部１０４と備える。
図９及び図１０に示すように、磁界遮蔽部１７０は、表示部側筐体３に配置される。
【００９５】
図９に示すように、携帯電話機１Ａが閉状態において、ループアンテナ１００は、操作部側筐体２と表示部側筐体３との積層方向において、磁界遮蔽部１７０に積層するよう近接配置される。この場合において、ループアンテナ１００は、通信できない状態となる。つまり、閉状態において、携帯電話機１は、ＲＦＩＤチップ１１０からのデータの読み出しやＲＦＩＤチップ１１０へのデータの書き込みが不可能な状態となる。
【００９６】
図９に示す閉状態から表示部側筐体３が矢印Ｔ方向にスライド移動された場合（開状態になった場合）、図１０に示すように、ループアンテナ１００は、磁界遮蔽部１７０から離間した離間位置に配置される。携帯電話機１Ａが開状態において、ループアンテナ１００は、操作部側筐体２と表示部側筐体３との積層方向において、磁界遮蔽部１７０に積層しない位置に配置される。携帯電話機１Ａが開状態において、ループアンテナ１００は、磁界遮蔽部１７０に対して上述の近接位置よりも離間した離間位置に配置される。この場合において、ループアンテナ１００は、通信可能な状態となる。つまり、開状態において、携帯電話機１は、ＲＦＩＤチップ１１０からのデータの読み出しやＲＦＩＤチップ１１０へのデータの書き込みが可能な状態となる。
【００９７】
本実施形態によれば、上述の携帯電話機１における効果と同様の効果を得ることができる。
【００９８】
また、本実施形態においては、ループアンテナ１００は、携帯電話機１Ａが閉状態の場合に磁界遮蔽部１７０に近接した近接位置に配置され、携帯電話機１Ａが開状態の場合に近接位置よりも磁界遮蔽部１７０から離間した離間位置に配置されるが、これに限定されない。ループアンテナ１００は、携帯電話機１Ａが開状態の場合に磁界遮蔽部１７０に近接した近接位置に配置され、携帯電話機１Ａが閉状態の場合に近接位置よりも磁界遮蔽部１７０から離間した離間位置に配置されるように構成されてもよい。
【００９９】
また、ループアンテナ１００の構造や構成、外部装置のタイプにおける他の形態についても携帯電話機１と同様である。
【０１００】
次いで、図１１及び図１２により、携帯電話機がサイクロイドタイプである場合の実施形態について説明する。
図１１は、第１状態におけるループアンテナ１００の配置及び状態を説明する図である。図１２は、第２状態におけるループアンテナ１００の配置及び状態を説明する図である。
【０１０１】
携帯電話機１Ｃは、操作部側筐体２と、第１面としての内面６Ａを有する第１筐体としての支持部材６と、支持部材６における内面６Ａ側に積層配置される第２筐体としての表示部側筐体３と、内面６Ａに対して垂直に交差する回転軸Ｚを中心として表示部側筐体３と支持部材６とを相対的に回転可能に連結する連結部７とを備える。
【０１０２】
連結部７は、回転軸Ｚを備え、表示部側筐体３が支持部材６に対して第１相対位置に配置される第１状態（図１１参照）及び表示部側筐体３が支持部材６に対して前記第１相対位置とは異なる第２相対位置に配置される第２状態（図１２参照）に変形可能となるように回転軸Ｚを中心に支持部材６と表示部側筐体３とを相対的に回転可能に連結する。
【０１０３】
図１１及び図１２に示すように、ループアンテナ１００は、表示部側筐体３に配置される。ループアンテナ１００は、シート部１０２と、シート部１０２に配置されるコイル部１０４と備える。
図１１及び図１２に示すように、磁界遮蔽部１７０は、支持部材６に配置される。
【０１０４】
携帯電話機１Ｂが第１状態において、ループアンテナ１００は、操作部側筐体２と表示部側筐体３との積層方向において、磁界遮蔽部１７０に積層しない位置に配置される。携帯電話機１Ｂが第１状態において、ループアンテナ１００は、磁界遮蔽部１７０に対して後述する近接位置よりも離間した離間位置に配置される。この場合において、ループアンテナ１００は、通信可能な状態となる。つまり、第１状態において、携帯電話機１は、ＲＦＩＤチップ１１０からのデータの読み出しやＲＦＩＤチップ１１０へのデータの書き込みが可能な状態となる。
【０１０５】
図１１に示す第１状態から表示部側筐体３が回転軸Ｚを中心に矢印方向に回転移動された場合（第２状態になった場合）、図１２に示すように、ループアンテナ１００は、磁界遮蔽部１７０に近接した離間位置に配置される。
【０１０６】
図１２に示すように、携帯電話機１Ｂが第２状態において、ループアンテナ１００は、操作部側筐体２と表示部側筐体３との積層方向において、磁界遮蔽部１７０に積層するよう近接配置される。この場合において、ループアンテナ１００は、通信できない状態となる。つまり、第２状態において、携帯電話機１は、ＲＦＩＤチップ１１０からのデータの読み出しやＲＦＩＤチップ１１０へのデータの書き込みが不可能な状態となる。
【０１０７】
本実施形態によれば、上述の携帯電話機１における効果と同様の効果を得ることができる。
【０１０８】
また、本実施形態においては、ループアンテナ１００は、携帯電話機１Ｂが第１状態の場合に磁界遮蔽部１７０から離間した離間位置に配置され、携帯電話機１Ｂが第２状態の場合に磁界遮蔽部１７０に近接した近接位置に配置されるが、これに限定されない。ループアンテナ１００は、携帯電話機１Ｂが第２状態の場合に磁界遮蔽部１７０に近接した近接位置に配置され、携帯電話機１Ｂが第１状態の場合に近接位置よりも磁界遮蔽部１７０から離間した離間位置に配置されるように構成されてもよい。
【０１０９】
また、ループアンテナ１００の構造や構成、外部装置のタイプにおける他の形態についても携帯電話機１と同様である。
【図面の簡単な説明】
【０１１０】
【図１】携帯電話機１を開いた状態における外観斜視図を示す。
【図２】操作部側筐体２に内蔵される部材の分解斜視図である。
【図３】表示部側筐体３に内蔵される部材の分解斜視図である。
【図４】第１閉状態におけるループアンテナ１００の配置を説明する図である。
【図５】第１開状態におけるループアンテナ１００の配置を説明する図である。
【図６】第２開状態におけるループアンテナ１００の配置を説明する図である。
【図７】第２閉状態におけるループアンテナ１００の配置を説明する図である。
【図８】携帯電話機１における回路構成を説明するブロック図である。
【図９】閉状態におけるループアンテナ１００の配置及び状態を説明する図である。
【図１０】開状態におけるループアンテナ１００の配置及び状態を説明する図である。
【図１１】第１状態におけるループアンテナ１００の配置及び状態を説明する図である。
【図１２】第２状態におけるループアンテナ１００の配置及び状態を説明する図である。
【符号の説明】
【０１１１】
１          携帯電話機
２          操作部側筐体
２Ａ        操作部側内面
３          表示部側筐体
３Ａ        表示部側内面
４          連結部
１００      ループアンテナ
１０２      シート部
１０４      コイル部
１６０      磁性シート
１７０      磁界遮蔽部
Ｓ          開閉軸
Ｒ          回転軸
Ｚ          回転軸
【図１】
2010130199.tif 000003
【図２】
2010130199.tif 000004
【図３】
2010130199.tif 000005
【図４】
2010130199.tif 000006
【図５】
2010130199.tif 000007
【図６】
2010130199.tif 000008
【図７】
2010130199.tif 000009
【図８】
2010130199.tif 000010
【図９】
2010130199.tif 000011
【図１０】
2010130199.tif 000012
【図１１】
2010130199.tif 000013
【図１２】
2010130199.tif 000014